(57)【要約】【課題】プリント用紙の製造後から包装を解いてプリンタに装填するまでの間に発生する紙粉等を容易に除去することができ、その紙粉等がプリンタやプリントそのものに対して影響を及ぼすことがないようにすることのできるプリント用紙の包装要素及びこれを用いたプリント用紙包装体を提供すること。【解決手段】ロール状に巻回されてなるプリント用紙１の裁断面１ａを覆う形状に形成された基材の一面に粘着層２ｂを有し、該粘着層２ｂが前記プリント用紙１の裁断面１ａに接するように貼着されることを特徴とするプリント用紙の包装要素２及びこれを用いたプリント用紙包装体１００。【選択図】    図１
2005153909.tif 000002
【特許請求の範囲】
【請求項１】
ロール状に巻回されてなるプリント用紙の裁断面を覆う形状に形成された基材の一面に粘着層を有し、該粘着層が前記プリント用紙の裁断面に接するように貼着されることを特徴とするプリント用紙の包装要素。
【請求項２】
前記プリント用紙の裁断面に貼着される際に、該プリント用紙の外周面側に折り倒されて貼着されることによって前記プリント用紙の始端部を巻き止めする巻き止め部を一体に有することを特徴とする請求項１記載のプリント用紙の包装要素。
【請求項３】
多数枚が積層された平版状のプリント用紙の裁断面を覆う形状に形成された基材の一面に粘着層を有し、該粘着層が前記プリント用紙の裁断面に接するように貼着されることを特徴とするプリント用紙の包装要素。
【請求項４】
前記粘着層は、粘着力が１．０〜３０．０Ｎ／２５ｍｍ幅であることを特徴とする請求項１、２又は３記載のプリント用紙の包装要素。
【請求項５】
ロール状に巻回されてなるプリント用紙の裁断面に、該裁断面を覆う形状に形成された基材の一面に粘着層を有するプリント用紙の包装要素を、該粘着層が前記裁断面に接するように貼着させた状態で包装されてなることを特徴とするプリント用紙包装体。
【請求項６】
前記プリント用紙の包装要素は、前記プリント用紙の始端部を巻き止めする巻き止め部を一体に有し、該巻き止め部が前記プリント用紙の外周面側に折り倒されて貼着されることで、前記始端部が巻き止めされていることを特徴とする請求項５記載のプリント用紙包装体。
【請求項７】
前記プリント用紙は円筒状の巻芯に巻回されると共に、該巻芯の端部は前記プリント用紙の包装要素で塞がれていることを特徴とする請求項５又は６記載のプリント用紙包装体。
【請求項８】
多数枚が積層された平版状のプリント用紙の裁断面に、該裁断面を覆う形状に形成された基材の一面に粘着層を有するプリント用紙の包装要素を、該粘着層が前記裁断面に接するように貼着させた状態で包装されてなることを特徴とするプリント用紙包装体。
【請求項９】
前記プリント用紙は、無機微粒子を含有する層を有していることを特徴とする請求項５〜８のいずれかに記載のプリント用紙包装体。
【請求項１０】
前記プリント用紙は、熱可塑性樹脂粒子を含有する層を有していることを特徴とする請求項５〜９のいずれかに記載のプリント用紙包装体。
【発明の詳細な説明】
【技術分野】
【０００１】
本発明はプリント用紙の包装要素及びプリント用紙包装体に関し、詳しくは、プリント用紙から発生する紙粉がプリンタやプリントそのものに対して影響を及ぼすことがないようにするプリント用紙の包装要素及びこれを用いたプリント用紙包装体に関する。
【背景技術】
【０００２】
インクジェットプリンタ、レーザープリンタ、複写機、ファクシミリ、露光装置等の画像記録装置或いは画像形成装置に装填されて使用されるプリント用紙は、例えばＡ４サイズ等の所定サイズに１枚ずつ裁断された平版紙を多数枚積層した状態で、その周囲が包装紙によって包装されて包装体とされており、使用時には、包装を解いて平版紙を積層状態のまま所定の装填位置に装填するようにしている。
【０００３】
また、プリント用紙には、長尺状に裁断された用紙を巻芯にロール状に巻回することにより形成されるロール状プリント用紙もあり、この場合も上記同様、ロール状に巻回された後に周囲が包装紙によって包装されて包装体とされており、使用時には、包装を解いて所定の装填位置に装填することで、ロール状のプリント用紙の端部から使用されるようになっている。
【０００４】
ところで、このような包装体とされるプリント用紙は、その裁断面から紙粉が発生することが知られている。プリント用紙から発生する紙粉は、これが装填されるプリンタやプリントそのものに影響して、プリンタの機能低下や画像品質の低下を招く原因となっている。
【０００５】
従来、プリンタ内でプリント用紙から発生した紙粉を除去する方法が特許文献１により提案されている。また、プリント用紙の製造時にプリント用紙の裁断面も含めて紙粉を除去する方法が特許文献２〜５により提案されている。
【特許文献１】特開平１−１３６７４８号公報
【特許文献２】特開平６−１５６７８８号公報
【特許文献３】特開２００２−２９２３４４号公報
【特許文献４】特開２００２−２９２３４５号公報
【特許文献５】特開２００２−２９２３５０号公報
【発明の開示】
【発明が解決しようとする課題】
【０００６】
特許文献１に記載のように、プリンタ内でプリント用紙から発生した紙粉を除去するものでは、プリントが行われるに従って除去能力が低下し、別途回復手段を講じる必要が生じたり、除去して溜まった紙粉を処理する手段が必要になったりする等、プリンタの大型化及び複雑化を招く原因となる問題があった。
【０００７】
また、特許文献２〜５に記載のように、プリント用紙の製造時に紙粉を除去するものでは、紙粉が完全に発生しない状態とすることは難しく、また、製造後の輸送時のこすれ、振動等によって、プリント用紙の裁断面に露出する各層の繊維や成分が脱落し易くなり、包装を解いてプリンタに装填した時に、新たに紙粉等（紙粉の他、用紙中の繊維や成分を含む。）となって発生する問題があった。
【０００８】
そこで、本発明は、プリント用紙の製造後から包装を解いてプリンタに装填するまでの間に発生する紙粉等を容易に除去することができ、その紙粉等がプリンタやプリントそのものに対して影響を及ぼすことがないようにすることのできるプリント用紙の包装要素及びこれを用いたプリント用紙包装体を提供することを課題とする。
【０００９】
本発明の他の課題は、以下の記載により明らかとなる。
【課題を解決するための手段】
【００１０】
上記課題は、以下の各発明によって解決される。
【００１１】
請求項１記載の発明は、ロール状に巻回されてなるプリント用紙の裁断面を覆う形状に形成された基材の一面に粘着層を有し、該粘着層が前記プリント用紙の裁断面に接するように貼着されることを特徴とするプリント用紙の包装要素である。
【００１２】
請求項２記載の発明は、前記プリント用紙の裁断面に貼着される際に、該プリント用紙の外周面側に折り倒されて貼着されることによって前記プリント用紙の始端部を巻き止めする巻き止め部を一体に有することを特徴とする請求項１記載のプリント用紙の包装要素である。
【００１３】
請求項３記載の発明は、多数枚が積層された平版状のプリント用紙の裁断面を覆う形状に形成された基材の一面に粘着層を有し、該粘着層が前記プリント用紙の裁断面に接するように貼着されることを特徴とするプリント用紙の包装要素である。
【００１４】
請求項４記載の発明は、前記粘着層は、粘着力が１．０〜３０．０Ｎ／２５ｍｍ幅であることを特徴とする請求項１、２又は３記載のプリント用紙の包装要素である。
【００１５】
請求項５記載の発明は、ロール状に巻回されてなるプリント用紙の裁断面に、該裁断面を覆う形状に形成された基材の一面に粘着層を有するプリント用紙の包装要素を、該粘着層が前記裁断面に接するように貼着させた状態で包装されてなることを特徴とするプリント用紙包装体である。
【００１６】
請求項６記載の発明は、前記プリント用紙の包装要素は、前記プリント用紙の始端部を巻き止めする巻き止め部を一体に有し、該巻き止め部が前記プリント用紙の外周面側に折り倒されて貼着されることで、前記始端部が巻き止めされていることを特徴とする請求項５記載のプリント用紙包装体である。
【００１７】
請求項７記載の発明は、前記プリント用紙は円筒状の巻芯に巻回されると共に、該巻芯の端部は前記プリント用紙の包装要素で塞がれていることを特徴とする請求項５又は６記載のプリント用紙包装体である。
【００１８】
請求項８記載の発明は、多数枚が積層された平版状のプリント用紙の裁断面に、該裁断面を覆う形状に形成された基材の一面に粘着層を有するプリント用紙の包装要素を、該粘着層が前記裁断面に接するように貼着させた状態で包装されてなることを特徴とするプリント用紙包装体である。
【００１９】
請求項９記載の発明は、前記プリント用紙は、無機微粒子を含有する層を有していることを特徴とする請求項５〜８のいずれかに記載のプリント用紙包装体である。
【００２０】
請求項１０記載の発明は、前記プリント用紙は、熱可塑性樹脂粒子を含有する層を有していることを特徴とする請求項５〜９のいずれかに記載のプリント用紙包装体である。
【発明の効果】
【００２１】
本発明によれば、プリント用紙の製造後から包装を解いてプリンタに装填するまでの間に発生する紙粉等を容易に除去することができ、その紙粉等がプリンタやプリントそのものに対して影響を及ぼすことがないようにすることのできるプリント用紙の包装要素及びこれを用いたプリント用紙包装体を提供することができる。
【発明を実施するための最良の形態】
【００２２】
以下、本発明の実施の形態について図面を用いて説明する。
【００２３】
図１（ａ）は、ロール状に巻回されたプリント用紙包装体の特徴部分を示す分解斜視図、（ｂ）はそのプリント用紙包装体の全体斜視図である。
【００２４】
図１（ａ）において、１はプリント用紙であり、所定幅を有する長尺状のプリント用紙１が円筒状の巻芯１１の外周面に巻き重ねられ、プリント用紙１の始端部１ｂに粘着テープ等からなる巻き止め片１２が貼着されることによって、該始端部１ｂがロール状の外周面に巻き止めされている。
【００２５】
ロール状に巻回されたプリント用紙１の両端面をなす裁断面１ａ、１ａは、プリント用紙１が巻芯１１に巻き重ねられることにより層状をなしており、その各裁断面１ａ、１ａに、本発明のプリント用紙の包装要素である粘着シート２、２がそれぞれ貼着されている。
【００２６】
粘着シート２は、ロール状のプリント用紙１の裁断面１ａを覆う形状のシート状に形成されてなり、ロール状のプリント用紙１の各裁断面１ａ、１ａに対し、粘着層２ｂ側が接するようにそれぞれ貼着されている。そして、このようにロール状のプリント用紙１の各裁断面１ａ、１ａに粘着シート２、２がそれぞれ貼着された状態で、図１（ｂ）に示すように、包装紙１０１によってその外面全体が包装され、プリント用紙包装体１００とされる。
【００２７】
図２（ａ）は、他の実施形態に係る粘着シート２１を用いたロール状に巻回されたプリント用紙包装体の特徴部分を示す分解斜視図、図２（ｂ）は粘着シート２１を貼着した状態を示す斜視図である。図１と同一構成の部位には同一符号を付してあり、詳細な説明は省略する。
【００２８】
この粘着シート２１、２１も、ロール状のプリント用紙１の裁断面１ａを覆う形状のシート状に形成されているが、その外周縁の一部から径方向に一体に突出形成された巻き止め部２１Ａ、２１Ａを有している。この巻き止め部２１Ａ、２１Ａを一体に有する粘着シート２１、２１をそれぞれプリント用紙１の各裁断面１ａ、１ａに貼着すると、各巻き止め部２１Ａ、２１Ａが各裁断面１ａ、１ａの外周からはみ出すが、これを図２（ｂ）に示すように、プリント用紙１の始端部１ｂの位置に合わせた状態で該プリント用紙１の外周面側に折り倒して貼着することによって、プリント用紙１の始端部１ｂの巻き止めが図られるようになっている。
【００２９】
この粘着シート２１、２１によれば、各裁断面１ａ、１ａに貼着して巻き止め部２１Ａ、２１Ａを折り倒すだけで、各裁断面１ａ、１ａの被覆と巻き止めとを同時に行うことができるため、図１に示したような巻き止め片１２を別途使用する必要がなくなり、部品点数の削減が図られると共に作業性にも優れるようになる。また、プリント用紙１を使用する際は、まず各粘着シート２１、２１の巻き止め部２１Ａ、２１Ａをそれぞれを剥離する必要があるため、粘着シート２１、２１の剥がし忘れを確実に防止することができる。
【００３０】
そして、粘着シート２１、２１を各裁断面１ａ、１ａに貼着した後は、図１（ｂ）と同様、包装紙１０１によってその外面全体が包装され、プリント用紙包装体１００とされる。
【００３１】
図３は、更に他の実施形態に係る粘着シート２２を用いたロール状に巻回されたプリント用紙包装体の特徴部分を示す分解斜視図である。図１と同一構成の部位には同一符号を付してあり、詳細な説明は省略する。
【００３２】
図１、図２に示した粘着シート２、２１は、ロール状のプリント用紙１の裁断面１ａと略同一形状とされ、巻芯１１の端部の開口１１ａが露出する略ドーナツ状に形成されているが、この粘着シート２２、２２は、裁断面１ａの外形状と同一形状の円板状に形成され、これが各裁断面１ａ、１ａに貼着されることによって、巻芯１１の端部の開口１１ａを塞ぐように設けられるようになっている。
【００３３】
この場合、巻芯１１の開口１１ａが露出しないため、この粘着シート２２、２２が貼着されたプリント用紙１を使用するために図示しない装填部の軸に巻芯１１を挿着する際は、必ず粘着シート２２、２２を剥離する作業を要求されることとなり、これら粘着シート２２、２２の剥がし忘れを確実に防止することができる。
【００３４】
なお、図示しないが、この粘着シート２２、２２にも、図２と同様の巻き止め部２１Ａ、２１Ａを一体に設けることにより、図２と同様の巻き止め機能を持たせるようにしてもよい。
【００３５】
そして、粘着シート２２、２２を各裁断面１ａ、１ａに貼着した後は、図１（ｂ）と同様、包装紙１０１によってその外面全体が包装され、プリント用紙包装体１００とされる。
【００３６】
図４（ａ）は、平版紙からなるプリント用紙包装体の特徴部分を示す分解斜視図、（ｂ）はそのプリント用紙包装体の全体斜視図である。
【００３７】
図４（ａ）において、３はプリント用紙であり、ここでは矩形状の所定サイズに裁断された平版紙からなる多数枚のプリント用紙３が多層に積層されたものを示している。
【００３８】
このように平版紙が多層に積層されたプリント用紙３の周囲の４つの端面をなす各裁断面３ａ、３ａ、３ａ、３ａに、本発明のプリント用紙の包装要素である粘着シート４がそれぞれ貼着されている。
【００３９】
この粘着シート４は、積層されたプリント用紙３の４つの裁断面３ａ、３ａ、３ａ、３ａを全て覆い尽くすことのできる外形形状の１枚のシート状に形成されているが、４つの各裁断面３ａ、３ａ、３ａ、３ａそれぞれに独立した４枚のシートにより構成してもよい。前者のように１枚のシート状に形成したものでは、包装を解いて使用する際、粘着シート４を４つの裁断面３ａ、３ａ、３ａ、３ａから一度に剥離することができるため作業性の点で便利である。
【００４０】
この粘着シート４も、積層されたプリント用紙３の各裁断面３ａ、３ａ、３ａ、３ａに対し、粘着層４ｂ側が接するように貼着されている。そして、このように多数枚が積層されたプリント用紙３の各裁断面３ａ、３ａ、３ａ、３ａに対して粘着シート４が貼着された状態で、図２（ｂ）に示すように、包装紙２０１によってその外面全体が包装され、プリント用紙包装体２００とされる。
【００４１】
これら粘着シート２、２１、２２、４は、図５に示すように、基材２ａ、４ａの一面に粘着層２ｂ、４ｂが形成されてなる。
【００４２】
基材２ａ、４ａとしては、各裁断面１ａ、３ａへの貼着作業が容易で、且つ使用時に容易に剥離可能であることが望ましく、例えば、普通紙、アート紙、コート紙及びキャストコート紙等の紙材の他、プラスチックシート、紙材の片面又は両面をポリエチレン等のプラスチックフィルムで被覆した積層シート等を用いることができる。
【００４３】
粘着層２ｂ、４ｂを構成し得る粘着剤としては、アクリル系、ゴム系、シリコン系の粘着剤を挙げることができ、中でも、粘着性能が優れていること、組成選択の自由度が高いことから、アクリル系粘着剤を用いることが好ましい。
【００４４】
基材２ａ、４ａ上に形成される粘着層２ｂ、４ｂの厚みは、０．０１〜０．２０ｍｍが好ましい。
【００４５】
また、基材２ａ、４ａの一面に粘着剤を塗布する方法としては、バーコーター、ロールコーター、アプリケーター、スピナー等、公知の方法を採用することができる。
【００４６】
また、粘着シート２、２１、２２、４の粘着層２ｂ、４ｂの粘着力は、十分な紙粉の粘着力を持つことと、粘着することで被着体に剥離等の劣化を起こさせないことの点で、１．０〜３０．０Ｎ／２５ｍｍ幅であることが好ましく、より好ましくは２．０〜２０．０Ｎ／２５ｍｍ幅とすることである。なお、粘着力の測定方法は、ＪＩＳ  Ｃ２１０７中の粘着力試験方法による。
【００４７】
このようなプリント用紙包装体１００、２００によれば、プリント用紙１、３を製造してからプリンタに装填するまでの間に裁断面１ａ、３ａから発生する紙粉等を、粘着シート２、２１、２２、４の粘着層２ｂ、４ｂに粘着させておくことができ、使用時に包装を解いてこの粘着シート２、２１、２２、４を剥離すれば、紙粉等を粘着シート２、２１、２２、４の粘着層２ｂ、４ｂに粘着させた状態でプリント用紙１、３から除去できるため、プリンタ側に与える紙粉等の影響を最小限に抑えることができると共に、プリントそのものに与える影響も低減することができる。
【００４８】
ところで、プリント用紙として特にインクジェットによるプリントを行うためのプリント用紙には、図６にその一例を示すように、支持体５Ａの上に表層として熱可塑性樹脂粒子を含有するインク受容層５Ｂを有しているプリント用紙５がある。また、このインク受容層５Ｂの内側に隣接して色材とインク溶媒成分がインク受容層５Ｂ表面で分離した後にインク溶媒成分が吸収される空隙層を有するインク溶媒吸収層５Ｃを有している場合もある。
【００４９】
このような構成からなるプリント用紙５は、インク受容層５Ｂに向けて噴射されたインクがインク受容層５Ｂ及びインク溶媒吸収層１Ｃに吸収されることにより画像が記録され、画像記録後は、表面のインク受容層５Ｂが加熱加圧されることで、該インク受容層５Ｂ中に含有される熱可塑性樹脂粒子が溶融及び平滑化され透明化されて、プリント用紙５の表面に透明な保護層が形成され、画像に光沢と耐擦過性を付与するものである。
【００５０】
このようなプリント用紙５では、図１のようにロール状に巻回された場合又は図４のように平版紙として多数枚が積層された場合、インク受容層５Ｂやインク溶媒吸収層５Ｃ等の各層が裁断面に露呈することから、その裁断面から熱可塑性樹脂粒子や無機微粒子が脱落することが多く、これがプリンタに影響を与えたり、脱落した熱可塑性樹脂粒子が画像記録後の加熱処理時に溶融して画質に影響を与えたりする可能性が大きい。本発明によれば、このような裁断面から発生する熱可塑性樹脂粒子や無機微粒子も粘着シート２、２１、２２、４の粘着層２ｂ、４ｂに粘着させることで、包装を解いて粘着シート２、２１、２２、４を剥離した時にプリント用紙から除去することができるため、プリント用紙として、このような熱可塑性樹脂粒子を含有する層を有しているものや無機微粒子を含有する層を有しているものを使用する場合に、特に顕著に効果を発揮するものとなる。
【００５１】
ちなみに、プリント用紙５を構成する支持体５Ａとしては、例えば、普通紙、アート紙、コート紙及びキャストコート紙等の紙製支持体の他、プラスチック支持体、両面をポリオレフィンで被覆した紙支持体、これらを貼り合せた複合支持体を用いることができる。
【００５２】
また、インク受容層５Ｂに含有される熱可塑性樹脂粒子としては、例えば、ポリカーボネート、ポリアクリロニトリル、ポリスチレン、ポリアクリル酸、ポリメタアクリル酸、ポリ塩化ビニル、ポリ塩化ビニリデン、ポリ酢酸ビニル、ポリエステル、ポリアミド、ポリエーテル、これらの共重合体及びこれらの塩が挙げられる。熱可塑性樹脂粒子は、インク受容性、加熱及び加圧による定着後の画像の光沢性、画像堅牢性及び離型性を考慮して適宜選択される。
【００５３】
更に、インク溶媒吸収層５Ｃはインク溶媒吸収能を有しており、これは無機固体微粒子をインク溶媒吸収層中に含有させることによって発揮する。この目的で使用される無機固体微粒子としては、例えば、軽質炭酸カルシウム、重質炭酸カルシウム、炭酸マグネシウム、カオリン、クレー、タルク、硫酸カルシウム、硫酸バリウム、二酸化チタン、酸化亜鉛、水酸化亜鉛、硫化亜鉛、炭酸亜鉛、ハイドロタルサイト、珪酸アルミニウム、ケイソウ土、珪酸カルシウム、珪酸マグネシウム、合成非晶質シリカ、コロイダルシリカ、アルミナ、コロイダルアルミナ、擬ベーマイト、水酸化アルミニウム、リトポン、ゼオライト、水酸化マグネシウム等の白色無機顔料等が挙げられる。
【００５４】
なお、以上の説明においては、プリント用紙１、３の各裁断面１ａ、３ａの全てに粘着シート２、２１、２２、４を貼着するようにした最も好ましい態様を例示したが、必ずしも全ての裁断面に貼着する必要はなく、例えば、複数ある裁断面のうちで特に紙粉等の発生が著しい裁断面のみに貼着するようにしてもよく、この場合でも、従来のプリント用紙包装体に比べてプリンタやプリントそのものへ与える影響を少なくすることができる。
【図面の簡単な説明】
【００５５】
【図１】（ａ）はロール状に巻回されたプリント用紙包装体の特徴部分を示す分解斜視図、（ｂ）はそのプリント用紙包装体の全体斜視図
【図２】粘着シートの他の実施形態を示し、（ａ）はロール状に巻回されたプリント用紙包装体の特徴部分を示す分解斜視図、（ｂ）は粘着シートを貼着した状態を示す斜視図
【図３】粘着シートの更に他の実施形態を示し、ロール状に巻回されたプリント用紙包装体の特徴部分を示す分解斜視図
【図４】（ａ）平版紙からなるプリント用紙包装体の特徴部分を示す分解斜視図、（ｂ）はそのプリント用紙包装体の全体斜視図
【図５】粘着シートの断面図
【図６】プリント用紙の一例を示す層構成図
【符号の説明】
【００５６】
１、５：プリント用紙
１ａ、３ａ：裁断面
１ｂ：終端部
１１：巻芯
１１ａ：開口
１２：巻き止め片
２、２１、２２、４：粘着シート
２１Ａ：巻き止め部
２ａ、４ａ：基材
２ｂ、４ｂ：粘着層
３：プリント用紙の積層体
５Ａ：支持体
５Ｂ：インク受容層
５Ｃ：インク溶媒吸収層
【図１】
2005153909.tif 000003
【図２】
2005153909.tif 000004
【図３】
2005153909.tif 000005
【図４】
2005153909.tif 000006
【図５】
2005153909.tif 000007
【図６】
2005153909.tif 000008